(57)【要約】【課題】  一台の簡単な装置で、種類の多い蛍光ランプの口金部に幅広く対応して口金部を除去することができる。【解決手段】  一方部材３ａと他方部材３ｂからなる挟持部材３を備え、挟持部材３の一方部材３ａｂ他方部材３ａにこれらで挟持すると照明機器Ｋの口金部１０に食い込む刃１０ｃを有する。挟持部材３の一方部材３ａと他方部材３ｂのうちの少なくとも一方を駆動させる駆動手段７と備え、これらの部材３ａ，３ｂが平行にならずに傾斜姿勢を維持して照明機器Ｋの口金部１０を挟持する【選択図】  図１
2011161316.tif 000002
【特許請求の範囲】
【請求項１】
蛍光灯、蛍光ランプやＬＥＤ照明などの照明機器の口金部を除去する使用済み照明機器の口金部除去装置であって、一方部材と他方部材からなる挟持部材を備え、挟持部材の一方部材と他方部材にこれらで挟持すると照明機器の口金部に食い込む刃を有することを特徴とする使用済み照明機器の口金部除去装置。
【請求項２】
前記挟持部材の一方部材と他方部材に、対応する円弧状の円弧状部が形成され、この円弧状部に照明機器の口金部に食い込む刃を有することを特徴とする請求項１記載の使用済み照明機器の口金部除去装置。
【請求項３】
前記挟持部材の一方部材と他方部材のうちの少なくとも一方を駆動させる駆動手段と備え、これらの部材が平行にならずに傾斜姿勢を維持して照明機器の口金部を挟持することを特徴とする請求項１記載の使用済み照明機器の口金部除去装置。
【請求項４】
前記一方部材と他方部材の幅は、口金部の幅よりも狭幅であり、その幅狭の刃が口金部の末端側（極のある側）を挟持することを特徴とする請求項１ないし３のいずれか１項記載の使用済み照明機器の口金部除去装置。
【請求項５】
前記基台に口金部の末端側を位置決めする位置決め部材がレールを介して取り付けられていることを特徴とする請求項１ないし４のいずれか１項記載の使用済み照明機器の口金部除去装置。
【発明の詳細な説明】
【技術分野】
【０００１】
本発明は、蛍光灯、蛍光ランプやＬＥＤ照明などの照明機器の口金部を除去する使用済み照明機器の口金部除去装置に関する。
【背景技術】
【０００２】
蛍光灯の両端部には、口金部が取り付けられている。白熱電球、蛍光ランプ、ハロゲンランプ、ＬＥＤ電球等の照明機器には、これらをソケットに取り付けるための口金部が取り付けられている。これらの口金部は、その大きさも種々のものがあり、例えば、Ｅ１０口金部（直径が１０ｍｍ）、Ｅ１７口金部（直径が１７ｍｍ）、Ｅ２６口金部（直径が２６ｍｍ）等がその代表格であるが（図９参照）、これらよりも小さなものや大きなものがある。口金部の内側には、蛍光管、蛍光灯等の本体との接触を図るための接着剤が充填されている。
近年の環境保護の観点から、これら照明機器の分別処理が要求されるようになり、上記のような照明機器にあっては、蛍光管（ガラス）と金属（口金部）を分離する必要があり、そのための従来技術としては、特許文献１から４等に示すものが開示されている。特許文献１と２は、蛍光灯の口金部分を切断して除去するものであり、特許文献３は、蛍光灯の口金部分を挟持した状態にして、蛍光管（ガラス）を所定方向に引っ張ったり、又、回転させることにより口金部を除去する。特許文献４では、廃蛍光ランプの口金部の外周を半径方向に把持し、把持面に前後方向の波形を形成した緩衝材を装着したクランプ機構と、クランプ機構で把持される口金部の位置に突出し、口金部をクランプしたバルブ側に付勢された揺動板に固定されたプッシャロッドで除去された口金部を排出する排出機構と、バルブと口金部の接合部を加熱するため廃蛍光ランプの端部を緩挿できる筒状挿入口、この筒状挿入口の後部と連通し上下方向に配設した熱風送管及び熱風発生器より成る加熱機構とを備える。熱風での加熱機構により、上記接合部の接着剤を軟化し脆くして、接着剤の除去も容易にする。
【先行技術文献】
【特許文献】
【０００３】
【特許文献１】特開２００４−１１１３２５号公報
【特許文献２】特許第３３８９１８８号公報
【特許文献３】特開２００６−２１２４９８号公報
【特許文献４】特許第４０３５０４８号公報
【０００４】
ところで、蛍光灯、蛍光ランプやＬＥＤ照明などの照明機器の種類や大きさは種々あり、これらに取り付けられている口金部のすべてを除去することが理想であり、その内部の接着剤や、蛍光管内の水銀、ナトリウムやアマルガムなども分別処理ができれば更に好ましい。しかし、実際には、照明機器には非常に小さなものも多数あり、それらのすべてに対応することまでは難しい。一般的な蛍光灯、蛍光ランプ等の照明機器では、口金部の大きさで言うと、直径が１０ｍｍのＥ１０口金部から直径が２６ｍｍのＥ２６口金部等がその代表格であり、これらは少なくとも分別される必要がある。
他方、近年、白熱電球に代わって、蛍光ランプやＬＥＤ電球等が消費電力や長期使用可能な点から普及し始めており、これらの口金部は、白熱電球の口金部とは異なり、照明機器の本体が合成樹脂製の部材に取り付けられる構造になっている（図８（ａ）〜（ｄ）参照）。
【発明の概要】
【発明が解決しようとする課題】
【０００５】
従来の口金部除去装置では、上記のように、口金部の大きさが種々のものがあることから、これらすべてに個々に対応する装置（口金部を外周から挟む設定を変更する等）は、機構が複雑になるおそれがある。除去装置を個別に製造することは、より装置の製造コストがかかってしまう問題を有する。
なお、上記特許文献１，２のように、切断による除去では、回転カッター等を使用するので、蛍光管（ガラス）が飛散する問題や、蛍光ランプやＬＥＤ電球等の口金部のような合成樹脂製の部材を切断するには、頑強な回転カッター等を使用する必要が生じてしまう。
【０００６】
そこで本発明の目的は、一台の簡単な装置で、種類の多い照明機器の口金部に幅広く対応して口金部を除去することができる使用済み照明機器の口金部除去装置を提供することを目的とする。
【課題を解決するための手段】
【０００７】
本発明の使用済み照明機器の口金部除去装置は、蛍光灯、蛍光ランプやＬＥＤ照明などの照明機器の口金部を除去する使用済み照明機器の口金部除去装置であって、一方部材と他方部材からなる挟持部材を備え、挟持部材の一方部材と他方部材にこれらで挟持すると照明機器の口金部に食い込む刃を有することを特徴とする。
【０００８】
本発明によれば、照明機器の口金部を挟持部材の一方部材と他方部材で所定箇所で挟持すると、互いの刃が口金部に食い込むので、挟持部材の挟持を解除すると、口金部が破損して外れることとなる。
ここで、挟持した状態で照明機器の本体を回転させるようにして口金部を除去しても良いが、挟持してから、この挟持状態を解除すると、刃が口金部に食い込むことで、一方部材と他方部材のいずれかの刃に引っかかるようにして除去できる。口金部の大きさは照明機器により種々あるが、一方部材と他方部材で所定箇所での所定位置を変更して、挟持すれば良く、これにより種々の口金部に幅広く対応して大量に処理することができる。
そして、前記挟持部材の一方部材と他方部材に、対応する円弧状の円弧状部が形成され、この円弧状部に照明機器の口金部に食い込む刃を有することが好ましい。本発明によれば、口金部の全周囲に刃の食い込みが生じるようにして除去することができる。
【０００９】
本発明としては、前記挟持部材の一方部材と他方部材のうちの少なくとも一方を駆動させる駆動手段と備え、これらの部材が平行にならずに傾斜姿勢を維持して照明機器の口金部を挟持することが好ましい。
本発明よれば、作業者が基台の前に立って、照明機器本体を持って、例えば、挟持部材の他方部材を駆動させて、一方部材に対して傾斜姿勢を維持して降下すると、他方の部材が降下し過ぎてしまう事態を抑制する。したがって、照明機器が蛍光管（ガラス）のような場合でも、蛍光管（ガラス）を破損してしまう事態を防止する。
ここで、挟持部材の一方部材に対する他方部材の傾斜角度は、小さな角度（２〜５度程度）で良く、この傾斜角度が小さいほど、円形の口金部と他方部材が接触する面積が大きくなるとともに、照明機器の種類により多く対応することが可能になる。
【００１０】
本発明としては、前記一方部材と他方部材の幅は、口金部の幅よりも狭幅であり、その幅狭の刃が口金部の末端側を挟持することが好ましい。ここで、蛍光灯にあっては、口金部の末端側とは、蛍光灯のピン（極）を言うものではなく、円筒状の口金部のピン側の端部を言う。
本発明者らの実験によれば、照明機器の口金部の全周囲を把持しなくとも、その上下（或いは左右）側だけでも刃を有する挟持部材で挟持すれば、口金部を除去できることが分かった。むしろ、口金部の末端側を上記挟持部材で挟持することで、口金部の後方側が浮き上がるようになり（広がるようになり）、照明機器本体から除去でき、そしてこれにより照明機器本体から口金部を抜き取るように除去できる。
【００１１】
本発明としては、前記基台に口金部の末端側を位置決めする位置決め部材がレールを介して取り付けられていることが好ましい。
本発明によれば、レールを介して照明機器の口金部を位置決め部材で位置決めすることで、同じ種類や大きさの照明機器の口金部を除去する最適な位置を確認して、位置決め部材により口金部が移動しないようにして、口金部を除去することができる。
【発明の効果】
【００１２】
本発明によれば、口金部に食い込む刃を有する一方部材と他方部材の挟持部材により挟持することで、一台の簡単な装置で、種類の多い蛍光ランプの口金部に幅広く対応して大量に処理することが可能になる。また、位置決め部材を使用することで、同じ種類や大きさの照明機器の口金部を大量に正確に除去することができる。そして、熱風等により接着剤を軟化し脆くすることなく、口金部を抜き取るように除去できる。
また、口金部に食い込む刃を有する一方部材と他方部材の挟持部材により挟持して除去すると、照明機器本体を損傷させずに口金部を照明機器本体から除去できるようになり、照明機器本体を持つ作業者の作業にも、ガラス片が飛び散るというような危険がなく作業が行える。すなわち、前記挟持部材の一方部材と他方部材が傾斜姿勢（平行にならないことで）、挟持する際の行き過ぎを防止でき、又、前記一方部材と他方部材の幅は、口金部の幅よりも狭幅であり、その幅狭の切断刃が口金部の末端側を挟持することにより、照明機器本体を損傷させることなく、口金部を除去することが可能になる。
【図面の簡単な説明】
【００１３】
【図１】本発明を適用した第１の実施の形態の使用済み照明機器の口金部除去装置の背面側から見た斜視図である。
【図２】上記第１の実施の形態の使用済み照明機器の口金部除去装置の位置決め部材の他の例を示す斜視図である。
【図３】上記第１の実施の形態の使用済み照明機器の口金部除去装置の側面図である。
【図４】上記第１の実施の形態の挟持部材の動きを説明する図である。
【図５】上記第１の実施の形態の挟持部材の他の例を示す正面図である。
【図６】上記実施形態の使用済み照明機器の口金部除去装置の使用例（実験例）を説明する図である。
【図７】上記実施の形態の他の例の挟持部材を示す正面図である。
【図８】照明機器の種類を説明する図である。
【図９】照明機器の口金部の種類を説明する図である。
【発明を実施するための形態】
【００１４】
以下、本発明の一実施の形態を図面に基づいて詳細に説明する。
図１は本実施形態の使用済み照明機器の口金部除去装置１の背面であり、図３はその側面図である。
本実施形態の使用済み照明機器の口金部除去装置１は、一方部材３ａと他方部材３ｂからなる挟持部材３を備える。また、他方部材３ｂを可動させる駆動手段Ｍを備え、一方部材３ａに対して他方部材３ｂが上下動可能に所定高さの基台２に取り付けられている（図１）。基台２の下方には、足で踏み込むステップ動作式のスイッチ４が配されている。基台２の下方には、除去した口金部１０を集める廃棄用のボックス５が配されている。また、各種の棄処分になった蛍光灯、蛍光ランプやＬＥＤ照明を集める集積ボックス６を有する。
【００１５】
前記基台２には、挟持部材３の一方部材３ａが所定高さ位置に水平に取り付けられている。挟持部材３の他方部材３ｂは、基台２に設けられた所定高さの上方フレーム２ａに取り付けられ、その姿勢が斜めに取り付けられている。一方部材３ａと他方部材３ｂは、鋼鉄製の板で（長さが約６０ｃｍ）、その上面（他方部材は下面）には刃３ｃが形成されている。刃３ｃは、鋼鉄製の鋸歯状の刃３ｃであり（先端に向かって断面が三角形状の刃）、照明機器の口金部１０に食い込む刃３ｃであり、ワークである口金部１０に突き刺さるようになる。
他方部材３ｂの上方には、他方部材３ｂの一方片側を下方に押し下げる駆動手段（シリンダー）７が基台２に設けられた所定高さの上方フレーム２ａに取り付けられ、上記シリンダー７に自在継ぎ手６ａが取り付けられている。シリンダー７は油圧式であるが、空気シリンダー等でも良い。そして、シリンダー７の上方にも自在継ぎ手６ｂが取り付けられている（図３）。他方部材３ｂの他方片側は、一方部材３ａに対して回転軸９を介して連結されている。したがって、駆動手段７を駆動させると、一方部材３ａに対して回転軸９を介して他方部材３ｂを下方側に稼動させる。
基台２は、フレーム２ａが組み合わせて構成されるが、テーブル面のようなものは特になく、平行な一方部材３ａの近辺で特に、除去した口金部１０をそのままボックス５に落下させるために、フレーム２ａを組み合わせるだけで構成されている。
【００１６】
本実施の形態では、挟持部材３の他方部材３ｂは一方部材３ａに対してその傾斜姿勢を維持して可動するように設定されている。一方部材３ａは、基台２のフレーム２ａに掛け渡すようにして取り付けられている。他方部材３ｂは、回転軸９を中心に回転するが（回転距離が少なく上下動に見えるが実際には、上記自在継ぎ手が取り付けられていることにより、回転するようにして上下動する構造である。）、図４（ａ）（ｂ）に示すように、平行な一方部材３ａに対して、傾斜姿勢で下降するが、平行姿勢にはならないように設定されている。その理由は、平行姿勢までにすると、照明機器本体１０ｃを損傷させることになることと、平行姿勢で停止させて復帰させる制御が難しいことにある。本実施の形態の傾斜角度θは、他方部材３ｂが平行な一方部材３ａに対して５度程度の傾斜角度（姿勢）θになるように下降するが、それ以上は下降しない設定になっている。上記傾斜角度θとしては、上記傾斜角度θに限定されるものではないが、２〜１５度程度でも可能であり、上限としては４０度程度でも可能である。本実施の形態では、後述するように、照明機器の口金部１０の種類（大きさの種類）をできるだけ多く除去することを考えている。このためには、上記傾斜角度θが小さいほど多くの種類の口金部を除去できるのみならず、上記傾斜角度θが小さいほど、一方部材３ａと他方部材３ｂが円形の口金部１０と接触する割合が多くなり好ましい。
【００１７】
本実施形態の挟持部材３の一方部材３ａと他方部材３ｂの幅Ｈは、約８〜９ｍｍ程度の幅Ｈである（図３）。したがって、直径１０ｍｍ以上口金部であれば、その口金部１０の幅よりも狭幅であるために、口金部１０の先端側１０ｂが前方（図３中左側）に突出させた状態で挟持部材３の一方部材３ａと他方部材３ｂで挟持できる。なお、口金部１０の末端側１０ａは位置決め部材８に当たった状態になる。上記のように、口金部１０の先端側１０ｂが残ることで、この部分が挟持により開くようになり（径が大きくなり）、照明機器本体を抜き取り易くなるための工夫である。
【００１８】
位置決め部材８は、基台２に配される第１のレール３ｒに取り付けられている（図１）。この第１のレール３ｒは、位置決め部材を左右方向に移動にさせるためのものであるが、図２に示すように、更に第１のレール３ｒが第２のレール３ｑに取り付けられていても良い。位置決め部材８は、一方部材３ａの後方に配され、一方部材３ａに沿って配される第１のレール３ｒに取り付けられ、一方部材３ａに沿って移動可能に構成されている（図１では左右方向Ｘに移動可能である）。また、第１のレール３ｒが第２のレール３ｑに取り付けられていると、位置決め部材８は、一方部材３ａから離間する方向に移動可能に構成されている（図２では矢印Ｙ方向に移動可能である）。位置決め部材８は、直方体形状の部材であり、その一側面（正面）８ａに照明機器Ｋの末端側１０ａが接触する。ここで、蛍光ランプＫｒの場合は、末端接触部（極）を有する突出部側が末端であり、蛍光灯Ｋｔでは、ピン（極）Ｋｐを除いた口金部１０の端部１０ａを末端側と言う。蛍光灯Ｋｔでは、位置決め部材８にピンＫｒを逃がすためのスペースを設けるようにしても良い。蛍光ランプＫｒの末端１０ａは、突出部（極）があるので（図９（ｃ）参照）、この突出部（極）の形状に対応した凹部が位置決め部材の上記一側面に形成されていることが好ましい。図９（ｄ）のように、突出部１０ａが２箇所あるような場合は（図９（ｄ）参照）、その数だけ位置決め部材８に凹部が形成されていることが好ましい。なお、上記位置決め部材８に、蛍光灯Ｋｔのピン（極）Ｋｐを逃がす穴や溝を設けても良い。
【００１９】
次に、実施の形態の使用済み照明機器の口金部除去装置１を使用して実際に蛍光灯、蛍光ランプやＬＥＤ照明などの照明機器の口金部を除去する場合を説明する。
【００２０】
前提として、本発明の使用済み照明機器の口金部除去装置１で除去できる対象は、白熱電球や、蛍光ランプ、ハロゲンランプ、ＬＥＤ電球等の種々の口金部が付いたものであれば広く対象になる。ただし、近年は、白熱電球に代わって（白熱電球の生産中止が相次いでいる。）、電球型と呼ばれる蛍光ランプが省電力、省エネルギーの面からも効率の低い白熱電球に置き換えて使用され（図８（ａ）（ｂ）参照）、一段と普及が進んでいる（小形軽量化が進み、一般のＡ形状の白熱電球と外観的に近似したものも提供されている）。なお、白熱電球には、水銀等の有害物質を含まないが、ガラスと口金部との分別処理にはなる。他方、細管蛍光ランプや直管型ランプのような蛍光灯も、電球型の蛍光ランプに置き換えられる傾向にある。この電球型の蛍光ランプの種類としては、ボール型、扇形状や螺旋形状（スパイラル形状）等の種々のものがあり、その大きさも種々異なるものがある。これらには口金部が取り付けられ、口金部の大きさも種々のものがある。例えば、Ｅ１１口金部とは、直径が１１ｍｍであり、Ｅ１７口金部とは、直径が１７ｍｍであり、Ｅ２６口金部とは、直径が２６ｍｍ等がその代表格であるが、これらよりも小さなものや大きなものがある（図８（ｃ）参照）。電球型と呼ばれる蛍光ランプの口金部１０は、ガラス球に取り付けられる白熱電球の口金部１０とは異なり、合成樹脂製の品部材に取り付けられるものが多い。電球型の蛍光ランプは、ガラス管内壁に蛍光体膜を塗布し、内部に水銀やアマルガムが封入され、さらに金属材料からなる電極、端子、リードワイヤー等から構成された放電管と、この放電管を点灯制御するためのインバータ等の電子回路を構成する回路部品と、回路部品に商用電源を供給するための金属製の口金部、さらには放電管や回路部品を支持する合成樹脂からなる構造部材等、各種構成部品が多種類の材料で構成されている。そして、上記電球型の蛍光ランプやＬＥＤ電球では、これらの口金部が合成樹脂の外周に取り付けられているので（白熱電球のようにガラスに口金部が取り付けられていないので）、口金部を挟み込んで除去し易いものである。
したがって、蛍光灯、蛍光ランプやＬＥＤ照明などの照明機器の口金部１０であれば広く対象になるが、あまり小さすぎるものは扱い難いところがある。実際には、口金部の直径が１０ｍｍ以上であれば、本体（照明機器本体）がガラス材質の蛍光灯でも、その口金部１０の除去が可能である。なお、廃棄されたものの照明機器の口金部を除去することがほとんどではあるが、新品の照明機器の口金部を除去することも勿論可能である。
以下では、照明機器本体がガラス材質の蛍光灯（図８（ｃ））と、図８（а）（ｂ）（ｄ）の電球型の蛍光ランプやＬＥＤ照明の口金部を例に実際に実験した例を踏まえて説明する。
【００２１】
照明機器Ｋが蛍光灯の場合は、まず、口金部１０の末端１０ａのピン（極）１０ｐをカッタ（図示せず）でカットする。そして、ペンチやカッター等で、ピン（極）１０ｐをカット１０ｐした照明機器本体（円筒ガラス部分）Ｋｂを手で持ち、照明機器Ｋの口金部１０を一方部材３ａの上に載置する（他方部材３ｂを動かさないで）。このとき、傾斜姿勢の他方部材３ｂとの間隔が狭くなる方向に移動させて、挟持部材３の一方部材３ａと他方部材３ｂに接触する位置まで移動させ（図６（ａ）の左側に移動させ）、口金部１０が一方部材３ａと他方部材３ｂに接触する位置を確認する。このとき、位置決め部材８に口金部１０の末端１０ａが接触した状態で、口金部１０の先端側１０ｂが口金部１０の幅よりも前方（図６（ａ）中の正面側であり、図３では右側）に突出させた状態になっていることが好ましい。
次に、一方部材３ａと他方部材３ｂに接触する位置を維持した状態で、足踏み式スイッチ４を足で操作して駆動手段７を駆動させて他方部材３ｂを降下させる（図６（ｂ））。スイッチ４の設定は、他方部材３ｂが一方部材３ａに対して平行姿勢になる直前で停止させて（踏み続けると挟持した状態を維持する。）、平行にはならないように制御され、傾斜姿勢のまま停止させて挟持する。なお、平行姿勢になる直前で元に戻るように設定して、行っても良い。他方部材３ｂが降下して（回転軸９を中心に回転して）、一方部材３ａと他方部材３ｂの刃３ｃが蛍光灯Ｋの口金部１０を挟持すると、さらにその刃３ｃで口金部１０に食い込むが、口金部１０の先端側１０ｂが口金部１０の幅よりも前方（図３中左側）に突出させた状態になっていることから（口金部１０の先端側１０ｂが残ることから）、この部分が挟持により開くようになり（径が大きくなり）、照明機器本体Ｋｂを引っ張ると、口金部１０が抜き取られる。すなわち、口金部１０だけが刃３ｃにくっつく様にして残って除去される（図７（ａ）（ｂ））。
図６と図７は実際に除去したときの様子の写真を図面にしたものである。抜き取られた蛍光灯本体の末端側（口金部があった部分）は、接着剤が付着した状態の先端部となる。図６（ｃ）は、挟持した状態を解除したもので、除去された口金部１０は、下方の一方部材３ａに付着して、照明機器本体Ｋｂから除去され、後は軽く触れると、下方のボックス５に落下する（図１）。これは、他方部材３ｂが傾斜姿勢で口金部１０を挟持するために、口金部１０が接触する面積が水平姿勢の一方部材３ａの方が大きいからである。なお、熱風等により口金部１０内の接着剤を加熱することは行っていない。
ここで、口金部１０の種類としては、口金部１０の先端側１０ｂが外側に広がったものがあり（図９（ｂ）、このようなタイプの口金部の場合は、上記幅Ｈの挟持部材３より、より一層はずし易い。また、図９（ｄ）に示すような鍔があるタイプでも、一方部材３ａと他方部材３ｂで、その半分側（鍔を介して片側だけ挟持してその口金部を除去することができた。
そして、除去された口金部１０は、そのまま基台２の下方に落下して（テーブル面になっていないので）、そのまま、軽く除去された口金部に触れると、ボックス５に入れられる。
本実施の形態によれば、種類や大きさの異なる照明機器の口金部を処理する場合でも、その順番を問わずに（口金部の大きさや種類を予め揃えておく必要はなく）、小さな口金部は、水平な一方部材３ａに対する傾斜姿勢の他方部材３ｂとの間隔が狭い箇所で（図６（ａ）の左側で）挟持すれば良く、これよりも大きな口金部はそれよりも広い間隔の箇所で（図６（ａ）の右側で）挟持すれば、どのような口金部でも対応可能であり、これにより処理能力が高められる。なお、ここでの実験では、位置決め部材８を使用しなかったが、何ら問題なく除去可能であった。
【００２２】
次に、図８（ａ）（ｂ）のような蛍光ランプや、図８（ｄ）のようなＬＥＤ照明の場合を説明する。これらの場合は、上記のようなピン１０ｐがないので、そのまま使用済みの証明機器Ｋの口金部１０が一方部材３ａと他方部材３ｂに接触する位置を確認して、足踏み式スイッチ４を足で操作して駆動手段７を駆動させて他方部材３ｂを降下させる（図６（ｂ））。上記蛍光ランプやＬＥＤ照明の場合、口金部１０が樹脂でモールドされた硬質部材であることから、一方部材３ａと他方部材３ｂで挟持しても破損しない場合がある。このような場合でも、破損した口金部分を軽く叩くか、又は、口金部１０を挟持部材３で挟持した状態で（スイッチ４を踏みつけた状態のまま）、照明機器本体Ｋｂを手で少し回転させると、口金部１０は照明機器本体Ｋから完全に分離する。また、一回の挟持では除去できないときは、挟持する位置を変更して、口金部１０を回転させて挟持部材３の刃３ｃが当たる位置を変更することで、口金部の全周囲に刃３ｃの食い込みが生じるようにして除去する。このような操作を繰り返す場合でも、その位置を自由に選択できる利点が本実施の形態は有する。
【００２３】
ここで、図５に示すように、挟持部材１１の一方部材１１ａと他方部材１１ｂとしては、互いに対応する円弧形状部１１ｃを形成することも可能である。図５に示す例では、３箇所の対応する円弧形状部１１ｃを形成することで、２種類の照明機器に対応して口金部１０の除去が可能になっている。図５に示す例では、互いに対応する円弧形状部１１ｃで挟持するので、照明機器Ｋの口金部１０のほぼ全周囲を挟持することとなり、口金部１０の除去がより確実に行われる。
【００２４】
なお、一方部材３ａには、口金部１０の種類に応じて、その除去しやすかった位置には、印を付けておくようにして、繰り返し操作の目印として作業性を向上させても良い。すなわち、口金部の種類や大きさが同じものを連続的に処理する場合は、同じ大きさの口金部の除去を効率的に行うために、位置決め部材８を使用することが好ましい。
【００２５】
以上、本発明は、上述した実施の形態に限定されるものではない。一方部材３ａを可動可能にしたり、一方部材３ａと他方部材３ｂの両方を可動可能に構成することも可能である。刃３ｃの種類や材質も種々適用可能である。このように、本発明は、その趣旨を逸脱しない範囲で適宜変更が可能であることは言うまでもない。
【符号の説明】
【００２６】
１        使用済み照明機器の口金部除去装置、
２        基台、
３，１１  挟持部材、３ａ  一方部材、３ｂ  他方部材、３ｃ  刃、１１ｃ  円弧形状部、
５        ボックス、
６ａ，６ｂ  自在継ぎ手、
７        駆動手段（シリンダー）、
８        位置決め部材、
９        回転軸（他方部材を回転させる回転軸）、
１０      口金部、１０ａ  口金部の末端側、１０ｂ  口金部の先端側、
θ        他方部材の一方部材に対する傾斜角度（傾斜姿勢）、
Ｋ        照明機器、Ｋｂ  照明機器の本体、
【図１】
2011161316.tif 000003
【図２】
2011161316.tif 000004
【図３】
2011161316.tif 000005
【図４】
2011161316.tif 000006
【図５】
2011161316.tif 000007
【図６】
2011161316.tif 000008
【図７】
2011161316.tif 000009
【図８】
2011161316.tif 000010
【図９】
2011161316.tif 000011